(57)【要約】【課題】濾材を収容するフィルタ槽を備えた浄水器であって、濾材を洗浄した後に当該浄水器から供給される浄水に洗浄後の汚水が含まれないように構成され且つ比較的簡易に構成された浄水器を提供する。【解決手段】流路６１と流路６２との間には、電磁弁２３が配置されている。流路６６と流路６７との間には、電磁弁２５が配置されている。接続部４１は、主流路３１において、フィルタ槽１０よりも、浄化方向の下流側に配置され、主流路３１と流路６２とを接続する。接続部４２は、主流路３１において、フィルタ槽１０および接続部４１よりも、浄化方向の下流側に配置され、主流路３１と流路６６とを接続する。【選択図】図１
2013017927.tif 000002
【特許請求の範囲】
【請求項１】
水を濾過する濾材を有するフィルタ槽と、
前記フィルタ槽に水を流通させる主流路と、
前記濾材が水を濾過するときに前記濾材を流通する方向と逆方向に前記濾材を流通することによって前記フィルタ槽を洗浄するための水を流通させる流路であって、前記主流路に接続され、第１の弁が配置された第１の洗浄流路と、
前記濾材が水を濾過するときに前記濾材を流通する方向と同じ方向に前記濾材を流通することによって前記フィルタ槽を洗浄した後の水を流通させる流路であって、前記主流路に接続され、第２の弁が配置された第２の洗浄流路と、
前記主流路において、前記フィルタ槽よりも、前記濾材が水を濾過するときに水が前記主流路を流れる方向の下流側に配置され、前記主流路と前記第１の洗浄流路とを接続する第１の分岐部分と、
前記主流路において、前記フィルタ槽および前記第１の分岐部分よりも、前記濾材が水を濾過するときに水が前記主流路を流れる方向の下流側に配置され、前記主流路と前記第２の洗浄流路とを接続する第２の分岐部分とを備えた、浄水器。
【請求項２】
当該浄水器において、前記第１の分岐部分は、前記第２の分岐部分よりも鉛直下方に配置されている、請求項１に記載の浄水器。
【請求項３】
前記主流路において、前記第２の分岐部分よりも、前記濾材が水を濾過するときに水が前記主流路を流れる方向の下流側に配置され、前記フィルタ槽が洗浄されるときに閉塞された第３の弁をさらに備えた、請求項１または請求項２に記載の浄水器。
【発明の詳細な説明】
【技術分野】
【０００１】
本発明は、濾材を洗浄する機能を有する浄水器に関する。
【背景技術】
【０００２】
濾材を洗浄する機能を有する浄水器等について、例えば、特開平６−２２６０５９号公報（特許文献１）に記載された濾過装置と、特開平８−８４９８９号公報（特許文献２）に記載された中空糸膜型浄水器とが従来から知られている。
【０００３】
特開平６−２２６０５９号公報（特許文献１）に記載された濾過装置は、中空糸膜を収容する濾過容器を備えている。特開平６−２２６０５９号公報（特許文献１）に記載された濾過装置において、中空糸膜が洗浄される場合には、原水が中空糸膜で濾過される方向と逆の方向に原水が中空糸膜を流通する。
【０００４】
一方、特開平８−８４９８９号公報（特許文献２）に記載された中空糸膜型浄水器は、少なくとも二つの中空糸膜槽を備えている。これら二つの中空糸膜槽は、浄水吐水管によって互いに接続され、当該浄水器において並列に配置されている。特開平８−８４９８９号公報（特許文献２）に記載された中空糸膜型浄水器において中空糸膜が洗浄される場合には、一の中空糸膜槽によって浄化された浄水が他の中空糸膜槽を通過することにより、他の中空糸膜槽が洗浄される。そして、他の中空糸膜槽を洗浄した後に、他の中空糸膜槽によって浄化された浄水が一の中空糸膜槽を通過することにより、一の中空糸膜槽が洗浄される。
【０００５】
このような二つの中空糸膜槽を用いた洗浄動作により、特開平８−８４９８９号公報（特許文献２）に記載された中空糸膜型浄水器は、他の中空糸膜槽を洗浄した後に浄水吐水管に残った汚水を、一の中空糸膜槽を洗浄するときに浄水吐水管の外部に排出することができる。このように、特開平８−８４９８９号公報（特許文献２）に記載された中空糸膜型浄水器は、中空糸膜槽が洗浄された後に当該浄水器から供給される浄水に、浄水吐水管に残った汚水が含まれないように構成されている。
【先行技術文献】
【特許文献】
【０００６】
【特許文献１】特開平６−２２６０５９号公報
【特許文献２】特開平８−８４９８９号公報
【発明の概要】
【発明が解決しようとする課題】
【０００７】
しかしながら、特開平８−８４９８９号公報（特許文献２）に記載された中空糸膜型浄水器は、二つの中空糸膜槽を元来備えているものであるため、当該浄水器に係る構成または構造が複雑である。
【０００８】
一方、特開平６−２２６０５９号公報（特許文献１）に記載された濾過装置は、中空糸膜を洗浄した後の水を、浄水が流通する経路から排出している。そのため、中空糸膜が洗浄された後に当該濾過装置から供給される浄水に、洗浄後の汚水が含まれてしまうおそれがある。このように、特開平６−２２６０５９号公報（特許文献１）に記載された濾過装置によれば、中空糸膜の洗浄後に当該装置が供給する浄水に、悪影響が及ぼされるおそれがある。
【０００９】
そこで、本発明の目的は、濾材を収容するフィルタ槽を備えた浄水器であって、濾材を洗浄した後に当該浄水器から供給される浄水に洗浄後の汚水が含まれないように構成され且つ比較的簡易に構成された浄水器を提供することである。
【課題を解決するための手段】
【００１０】
本発明に従った浄水器は、フィルタ槽と、主流路と、第１の洗浄流路と、第２の洗浄流路と、第１の分岐部分と、第２の分岐部分とを備えている。フィルタ槽は、水を濾過する濾材を有する。主流路は、フィルタ槽に水を流通させる。第１の洗浄流路は、濾材が水を濾過するときに濾材を流通する方向と逆方向に濾材を流通することによってフィルタ槽を洗浄するための水を流通させる流路である。第１の洗浄流路は、主流路に接続されている。また、第１の洗浄流路には、第１の弁が配置されている。第２の洗浄流路は、濾材が水を濾過するときに濾材を流通する方向と同じ方向に濾材を流通することによってフィルタ槽を洗浄した後の水を流通させる流路である。第２の洗浄流路は、主流路に接続されている。また、第２の洗浄流路には、第２の弁が配置されている。第１の分岐部分は、主流路において、フィルタ槽よりも、濾材が水を濾過するときに水が主流路を流れる方向の下流側に配置され、主流路と第１の洗浄流路とを接続する。第２の分岐部分は、主流路において、フィルタ槽および第１の分岐部分よりも、濾材が水を濾過するときに水が主流路を流れる方向の下流側に配置され、主流路と第２の洗浄流路とを接続する。
【００１１】
本発明によれば、第１の弁が開放され且つ第２の弁が閉塞されることによって第１の洗浄流路から主流路を介してフィルタ槽に水が流入する。これにより、フィルタ槽の濾材には、濾材が水を濾過するときと逆の方向から水が流れる。一方、第２の弁が開放され且つ第１の弁が閉塞されることによってフィルタ槽から主流路に流出された水が第２の洗浄流路に流出される。これにより、フィルタ槽の濾材には、濾材が水を濾過するときと同じ方向から水が流れる。
【００１２】
さらに、第１の洗浄流路から主流路を介してフィルタ槽に水を流入させることによって濾材を洗浄した後の所定の時間に、第２の弁を開放し且つ第１の弁を閉塞することにより、フィルタ槽から主流路に流出した水を第２の洗浄流路に流出させることができる。つまり、濾材を逆洗浄した後にフィルタ槽と第１の分岐部分との間とフィルタ槽の内部とに残った水を、主流路から第２の洗浄流路に流出させることができる。
【００１３】
このようにすることにより、濾材を洗浄した後には、濾材を逆洗浄した後の汚水がフィルタ槽と主流路とに残らないため、濾材を洗浄した後に当該浄水器から供給される浄水には洗浄後の汚水が含まれない。すなわち、本発明に従った浄水器は、濾材を洗浄した後に当該浄水器から供給される浄水に洗浄後の汚水が含まれないように構成されている。
【００１４】
また、本発明に従った浄水器は、二つのフィルタ槽を備えているものではなく、主流路に配置された一つのフィルタ槽を備えている。そのため、当該浄水器に係る構成または構造は、比較的簡易である。
【００１５】
したがって、本発明によれば、濾材を収容するフィルタ槽を備えた浄水器であって、濾材を洗浄した後に当該浄水器から供給される浄水に洗浄後の汚水が含まれないように構成され且つ比較的簡易に構成された浄水器を提供することができる。
【００１６】
本発明に従った浄水器において、第１の分岐部分は、第２の分岐部分よりも鉛直下方に配置されていることが好ましい。
【００１７】
この構成によれば、第１の洗浄流路を流通する水は、重力の影響を受けることにより、第１の分岐部分から第２の分岐部分に向かって鉛直上方に移動することが抑制される。そのため、フィルタ槽の逆洗浄に用いられる水のうち、主流路に残る水の量を低減させることができる。すなわち、この構成によれば、濾材を洗浄した後に当該浄水器から供給される浄水に洗浄後の汚水が含まれることを、効果的に抑制することができる。
【００１８】
本発明に従った浄水器は、第３の弁をさらに備えていることが好ましい。第３の弁は、主流路において、第２の分岐部分よりも、濾材が水を濾過するときに水が主流路を流れる方向の下流側に配置されていることが好ましい。また、第３の弁は、フィルタ槽が洗浄されるときに閉塞されていることが好ましい。
【００１９】
この構成によれば、フィルタ槽が洗浄されるときに第３の弁が閉塞されていることにより、第１の洗浄流路を流通する水と、主流路から第２の洗浄流路に流出する水とが、第３の弁よりも下流側に流出することを防止することができる。つまり、フィルタ槽の逆洗浄に用いられる水が第３の弁よりも下流側に流出することと、フィルタ槽の逆洗浄後に、第２の分岐部分とフィルタ槽との間と、フィルタ槽の内部とに残った汚水が第３の弁よりも下流側に流出することとが防止されている。このように、この構成によれば、濾材を洗浄した後に当該浄水器から供給される浄水に洗浄後の汚水が含まれることを、効果的に抑制することができる。
【発明の効果】
【００２０】
以上のように、本発明によれば、濾材を収容するフィルタ槽を備えた浄水器であって、濾材を洗浄した後に当該浄水器から供給される浄水に洗浄後の汚水が含まれないように構成され且つ比較的簡易に構成された浄水器を提供することができる。
【図面の簡単な説明】
【００２１】
【図１】本発明に係る浄水器の系統図であり、浄水器が浄水を生成するときの水の流れを示す図である。
【図２】本発明に係る浄水器の系統図であり、フィルタ槽の濾材を逆洗浄するときの水の流れを示す図である。
【図３】本発明に係る浄水器の系統図であり、フィルタ槽の濾材を順洗浄するときの水の流れを示す図である。
【図４】本発明に係る浄水器の制御を示すフローチャートである。
【発明を実施するための形態】
【００２２】
以下、本発明の実施の形態を図面に基づいて説明する。
【００２３】
図１に、本発明に従った浄水器１００を示す。浄水器１００は、主流路３１と第１の洗浄流路と第２の洗浄流路とを有する流路３０と、フィルタ槽１０とを備えている。流路３０は、液体としての水を流通させるものである。流路３０は、主流路３１と、流路６１と、流路６２と、流路６３と、流路６４と、流路６７と、流路６６と、排水路６５とを有している。主流路３１は、少なくとも流入路３２と、流路３３，３４と浄水供給路３５とを有している。上述した各流路は、例えばホース等の管状部材で形成されている。
【００２４】
フィルタ槽１０は、水を濾過するフィルタ１１を有している。濾材の一例としてのフィルタ１１には、除去する対象物によって精密濾過膜（ＭＦ膜）、限外濾過膜（ＵＦ膜）、ナノ濾過膜（ＮＦ膜）、または逆浸透膜（ＲＯ膜）等が利用されている。
【００２５】
主流路３１は、フィルタ槽１０に水を流通させる。浄水器１００の外部から内部に流入した原水は、流路３０のうちの流入路３２を流通する。原水は、例えば水道水である。ただし、原水は、水道水に限定されず、井戸水または河川水等であってもよい。浄水器１００において浄水が生成される場合には、流入路３２、流路３３、フィルタ槽１０、流路３４、および、浄水供給路３５の順に、水が主流路３１を流通する。
【００２６】
流路６１と流路６２とは、第１の洗浄流路の一例である。流路６１と流路６２とは、フィルタ１１が水を濾過するときにフィルタ１１を流通する方向と逆方向にフィルタ１１を流通することによってフィルタ槽１０を洗浄するための水を流通させる流路である。以下では、フィルタ１１が水を濾過するときにフィルタ１１を水が流通する方向のことを、浄化方向と呼ぶ。一方、フィルタ１１が水を濾過するときにフィルタ１１を水が流通する方向と逆方向のことを、逆洗浄方向と呼ぶ。
【００２７】
第１の洗浄流路のうちの流路６１は、流入路３２に接続されている。第１の洗浄流路のうちの流路６２は、流路３４に接続されている。また、流路６１と流路６２との間には、電磁弁２３が配置されている。また、流路６３と流路６４とは、逆洗浄後の水が流通する経路である。
【００２８】
流路６６と流路６７とは、第２の洗浄流路の一例である。流路６６と流路６７とは、浄化方向にフィルタ１１を流通することによってフィルタ槽１０を洗浄した後の水（つまり、順洗浄に用いられた水）を流通させる流路である。第２の洗浄流路のうちの流路６６は、流路３４に接続されている。流路６６と流路６７との間には、電磁弁２５が配置されている。
【００２９】
浄水器１００は、接続部４１と接続部４２とを備えている。接続部４１と接続部４２とは、主流路３１において流路３４に配置されている。接続部４１は、第１の分岐部分の一例である。接続部４２は、第２の分岐部分の一例である。
【００３０】
接続部４１は、主流路３１において、フィルタ槽１０よりも、浄化方向の下流側に配置されている。接続部４１は、主流路３１のうちの流路３４と流路６２とを接続する。接続部４２は、主流路３１において、フィルタ槽１０および接続部４１よりも、浄化方向の下流側に配置されている。接続部４２は、主流路３１のうちの流路３４と流路６６とを接続する。
【００３１】
図１〜３は、流路３０の水の流れを模式的に示す図である。そのため、浄水器１００の上下方向は図１〜３には示されていない。図１〜３において、接続部４１は、接続部４２よりも上方に位置するように描かれている。しかしながら、浄水器１００において、接続部４１は接続部４２よりも鉛直下方に配置されている。
【００３２】
主流路３１のうちの流路３３は、開口１２を介してフィルタ槽１０に接続されている。開口１２は、フィルタ槽１０に形成されている。開口１２は、流路３３を流れる水をフィルタ槽１０に流入させるための流入口としての機能を有している。フィルタ槽１０には、開口１３と開口１４とがさらに形成されている。流路３４は、開口１３を介してフィルタ槽１０に接続されている。また、流路６３は、開口１４を介してフィルタ槽１０に接続されている。
【００３３】
浄水器１００において浄水が生成される場合には、開口１２からフィルタ槽１０に流入した水は、フィルタ１１によって濾過された後に開口１３から流路３４に流出する。この場合には、開口１３は、浄水の流出口としての機能を有する。フィルタ１１が逆洗浄される場合には、流路６１と流路６２と流路３４とを流通する水が、開口１３からフィルタ槽１０に流入する。この場合には、開口１３は、逆洗浄用水の流入口としての機能を有する。さらに、後述するように、フィルタ１１が逆洗浄された後に、少なくとも開口１３と接続部４２との間に残った汚水が排水される場合には、開口１２からフィルタ槽１０に流入した水が開口１３から流路３４に流出する。この場合には、開口１３は、順洗浄用水の流出口としての機能を有する。
【００３４】
主流路３１において、流入路３２と流路３３との間には、電磁弁２１が配置されている。流入路３２には、接続部４３を介して流路６１の一端が接続されている。流路６１の他端は、電磁弁２３に接続されている。また、電磁弁２３には、流路６２の一端が接続されている。電磁弁２３は、第１の弁の一例である。流路６２の他端は、接続部４１を介して主流路３１のうちの流路３４に接続されている。
【００３５】
流路３４には、接続部４２を介して流路６６の一端が接続されている。流路６６の他端は、電磁弁２５に接続されている。また、電磁弁２５には、流路６７の一端が接続されている。電磁弁２５は、第２の弁の一例である。流路６７の他端は、接続部４４を介して排水路６５に接続されている。また、接続部４４には、流路６４の一端が接続されている。流路６４の他端は、電磁弁２４に接続されている。電磁弁２４とフィルタ槽１０の開口１４との間には、流路６３が延びている。
【００３６】
主流路３１において、接続部４２よりも浄水方向の下流側には、電磁弁２２が配置されている。電磁弁２２は、第３の弁の一例である。フィルタ１１が逆洗浄される場合と、逆洗浄後の汚水が浄水器１００の外部に排出される場合とに、電磁弁２２は閉塞されている。図１に示すように、浄水器１００から外部に浄水が供給されるときには、電磁弁２２が開放されることにより、フィルタ１１によって濾過された浄水が、浄水供給路３５を通って浄水器１００の外部に排出される。浄水器１００から外部に浄水が供給されるときには、電磁弁２１と電磁弁２２とが開放され、且つ、電磁弁２３と電磁弁２４と電磁弁２５とが閉塞されている。
【００３７】
図２に示すように、逆洗浄方向からフィルタ１１に水が流れることによってフィルタ１１を洗浄する場合（つまり、逆洗浄が行われる場合）には、原水が接続部４３を介して流入路３２から流路６１に流入する。流路６１を流通する原水は、流路６２を通った後に接続部４１を介して流路３４に流入する。さらに、原水は、開口１３を介して流路３４からフィルタ槽１０に流入する。フィルタ槽１０に流入した原水は、フィルタ１１を通過した後に開口１４を介して流路６３に流出する。流路６３を流通する原水は、流路６４を通った後に接続部４４を介して排水路６５に流出することにより、浄水器１００の外部に排出される。フィルタ１１が逆洗浄される場合には、電磁弁２３と電磁弁２４とが開放され、且つ、電磁弁２１と電磁弁２２と電磁弁２５とが閉塞されている。
【００３８】
一方、図３に示すように、浄化方向からフィルタ１１に水が流れることによってフィルタ１１を洗浄する場合（つまり、順洗浄が行われる場合）には、原水が流入路３２と流路３３とを通って、開口１２を介してフィルタ槽１０に流入する。さらに、フィルタ槽１０に流入した原水は、フィルタ１１を通過した後に開口１３を介して流路３４に流出する。この際、フィルタ１１を通過することにより、原水が浄化される。流路３４を流通する水は、接続部４１を通過した後に、接続部４２を介して流路６６に流入する。流路６６を流通する水は、流路６７を通った後に接続部４４を介して排水路６５に流出することにより、浄水器１００の外部に排出される。フィルタ１１が順洗浄される場合には、電磁弁２１と電磁弁２５とが開放され、且つ、電磁弁２２と電磁弁２３と電磁弁２４とが閉塞されている。
【００３９】
排水路６５は、逆洗浄時と順洗浄時とで兼用されている。逆洗浄時に浄水器１００の内部を流通している水と順洗浄時に浄水器１００の内部を流通している水とを使用者が視覚的に区別することができるか否かにかかわらず、浄水器１００においてフィルタ１１の逆洗浄と順洗浄とが行われる。このように、浄水器１００は、逆洗浄と順洗浄とが合わさったフィルタ１１の洗浄が行われていることを、使用者に認識させることが図られている。浄水器１００では、例えば流入路３２の一部と浄水供給路３５の一部と排水路６５の一部とを除く他の部材が、本体を形成するケース（図示せず）に収容されている。
【００４０】
浄水器１００は、マイコン４０を備えている。浄水器１００の作動は、マイコン４０によって制御されている。マイコン４０は、図示しないメモリを有している。メモリには、浄水器１００の作動に必要なデータ等が記録されている。マイコン４０は、浄水器１００の作動に必要な制御に関する判定を判断している。また、マイコン４０は、判定結果に基づき、浄水器１００の作動に必要なデータをメモリに記録している。
【００４１】
浄水器１００は、使用者によって操作される洗浄ボタン４を備えている。浄水器１００では、使用者が洗浄ボタン４を押下することにより、フィルタ１１の洗浄が開始される。洗浄ボタン４が操作された場合には、マイコン４０は制御信号を受信する。マイコン４０は、制御信号を受信することに基づき、洗浄ボタン４が操作されたことを判定する。この判定結果に基づき、電磁弁２１，２２，２３，２４，２５がマイコン４０に制御される。
【００４２】
一方、浄水器１００では、フィルタ１１の洗浄が開始されてから所定の時間が経過する場合に、洗浄が終了される。マイコン４０には、タイマ５が含まれている。浄水器１００の作動に必要な時間は、タイマ５によってカウントまたは計算されている。
【００４３】
次に、浄水器１００においてフィルタ１１が洗浄されるときの制御について、フローチャートを用いて説明する。図４に示すように、ステップＳ１０１において、洗浄ボタン４（図１参照）が押下されたか否か、つまり、使用者によってフィルタ１１（図１参照）の洗浄の開始が指示されたか否かが判定される。ステップＳ１０１において洗浄ボタン４が操作されたことが判定される場合には、ステップＳ１０２に進む。ステップＳ１０１において洗浄ボタン４が操作されていないことが判定される場合には、ステップＳ１０６に進む。
【００４４】
ステップＳ１０６では、浄水が生成されるように、電磁弁２１，２２，２３，２４，２５がマイコン４０によって制御される。ステップＳ１０６では、電磁弁２１，２２が開放され、且つ、電磁弁２３，２４，２５が閉塞される。これにより、上述したように、流入路３２と流路３３とを通ってフィルタ槽１０に原水が流入する（図１参照）。さらに、フィルタ１１によって濾過された浄水は、浄水供給路３５を通って浄水器１００の外部に排出される（図１参照）。
【００４５】
一方、ステップＳ１０２では、フィルタ１１（図２参照）が逆洗浄されるように、電磁弁２１，２２，２３，２４，２５がマイコン４０によって制御される。ステップＳ１０２では、電磁弁２３，２４が開放され、且つ、電磁弁２１，２２，２５が閉塞される。これにより、上述したように、流入路３２から流路６１に流入した原水は、流路６１と流路６２と流路３４とを通った後に、開口１３を介してフィルタ槽１０に流入する（図２参照）。さらに、フィルタ槽１０において、フィルタ１１が逆洗浄されることにより、フィルタ１１に付着していた汚染物質が除去される。汚損物質が混入された汚水は、流路６３と流路６４とを通った後に、排水路６５を介して浄水器１００の外部に排出される（図２参照）。
【００４６】
続いて、ステップＳ１０３では、逆洗浄が開始されてから所定の時間Ｔ1が経過したか否かが判定される。時間Ｔ1は、予め定められた時間であって、フィルタ１１の逆洗浄の開始から終了までの時間である。ステップＳ１０３において、時間Ｔ1が経過していることが判定される場合には、ステップＳ１０４に進む。ステップＳ１０３において、時間Ｔ1が経過していないことが判定される場合には、ステップＳ１０３に戻り、フィルタ１１の逆洗浄が継続される。
【００４７】
ステップＳ１０４では、開口１３と接続部４２との間と、フィルタ槽１０の内部とに残った逆洗浄後の汚水が浄水器１００の外部に排出されるように、電磁弁２１，２２，２３，２４，２５がマイコン４０によって制御される。ステップＳ１０４では、電磁弁２１，２５が開放され、且つ、電磁弁２２，２３，２４が閉塞される。これにより、上述したように、流入路３２と流路３３とを通って、原水がフィルタ槽１０に流入する。さらに、フィルタ槽１０に流入した原水は、フィルタ１１を通過した後に流路３４に流出する。流路３４に流出した水は、接続部４２を介して流路３４から流路６６に流入する。流路６６を流通する水は、流路６７と排水路６５とを通った後に、浄水器１００の外部に排出される。
【００４８】
続いて、ステップＳ１０５では、逆洗浄が終了されてから所定の時間Ｔ2が経過したか否かが判定される。時間Ｔ2は、予め設定された時間であって、汚水の排水する制御が開始されてから終了されるまでの時間である。ステップＳ１０５において、時間Ｔ2が経過していることが判定される場合には、ステップＳ１０１に戻る。ステップＳ１０１において、洗浄ボタン４が押下されていないことが判定されることにより、浄水が生成される状態に戻る。一方、ステップＳ１０５において、時間Ｔ2が経過していないことが判定される場合には、ステップＳ１０５に戻り、逆洗浄後の汚水の排出が継続される。なお、設定される時間Ｔ2の長さは、時間Ｔ1の長さよりも短いことが好ましい。
【００４９】
以上の制御によれば、フィルタ１１を逆洗浄した後の所定の時間Ｔ2に、少なくとも電磁弁２５を開放し且つ電磁弁２３を閉塞することにより、フィルタ槽１０から流路３４に流出した水を、流路３４から流路６６に流出させることができる。つまり、流路６１および流路６２から流路３４を介してフィルタ槽１０に水を流入させることによってフィルタ１１を逆洗浄した後に、流路３４のうちの開口１３と接続部４２との間と、フィルタ槽１０の内部とに残った水を、主流路３１から流路６６と流路６７とに流出させることができる。
【００５０】
以上のように、浄水器１００は、フィルタ槽１０と、主流路３１と、流路６１および流路６２と、流路６６および流路６７と、接続部４１と、接続部４２とを備えている。フィルタ槽１０は、水を濾過するフィルタ１１を有する。主流路３１は、フィルタ槽１０に水を流通させる。流路６１と流路６２とは、逆洗浄方向にフィルタ１１を流通することによってフィルタ槽１０を洗浄するための水を流通させる流路である。流路６１は、主流路３１のうちの流入路３２に接続されている。流路６２は、主流路３１のうちの流路３４に接続されている。また、流路６１と流路６２との間には、電磁弁２３が配置されている。流路６６および流路６７は、浄化方向にフィルタ１１を流通することによってフィルタ槽１０を洗浄した後の水を流通させる流路である。流路６６と流路６７とのうち、流路６６は、主流路３１に接続されている。また、流路６６と流路６７との間には、電磁弁２５が配置されている。接続部４１は、主流路３１において、フィルタ槽１０よりも、浄化方向の下流側に配置され、主流路３１と流路６２とを接続する。接続部４２は、主流路３１において、フィルタ槽１０および接続部４１よりも、浄化方向の下流側に配置され、主流路３１と流路６６とを接続する。
【００５１】
浄水器１００によれば、電磁弁２３が開放され且つ電磁弁２５が閉塞されることによって流路６１と流路６２とから主流路３１を介してフィルタ槽１０に水が流入する。これにより、フィルタ槽１０のフィルタ１１には、逆洗浄方向から水が流れる。一方、電磁弁２５が開放され且つ電磁弁２３が閉塞されることによってフィルタ槽１０から主流路３１に流出された水が流路６６に流出される。これにより、フィルタ槽１０のフィルタ１１には、フィルタ１１が水を濾過するときと同じ方向から水が流れる。
【００５２】
さらに、流路６１と流路６２とから主流路３１を介してフィルタ槽１０に水を流入させることによってフィルタ１１を洗浄した後の所定の時間に、電磁弁２５を開放し且つ電磁弁２３を閉塞することにより、フィルタ槽１０から主流路３１に流出した水を流路６６に流出させることができる。つまり、フィルタ１１を逆洗浄した後に、開口１３と接続部４１との間と、フィルタ槽１０の内部とに残った水を、主流路から第２の洗浄流路に流出させることができる。
【００５３】
このようにすることにより、フィルタ１１を洗浄した後には、フィルタ１１を逆洗浄した後の汚水がフィルタ槽１０と主流路３１とに残らないため、フィルタ１１を洗浄した後に浄水器１００から供給される浄水には洗浄後の汚水が含まれない。すなわち、浄水器１００は、フィルタ１１を洗浄した後に浄水器１００から供給される浄水に洗浄後の汚水が含まれないように構成されている。
【００５４】
また、浄水器１００は、二つのフィルタ槽を備えているものではなく、主流路３１に配置された一つのフィルタ槽１０を備えている。そのため、浄水器１００に係る構成または構造は、比較的簡易である。
【００５５】
このようにすることにより、フィルタ１１を収容するフィルタ槽１０を備え、フィルタ１１を洗浄した後に浄水器１００から供給される浄水に洗浄後の汚水が含まれないように構成され且つ比較的簡易に構成された浄水器１００を提供することができる。
【００５６】
浄水器１００において、接続部４１は、接続部４２よりも鉛直下方に配置されている。この構成によれば、流路６６と流路６７とを流通する水は、重力の影響を受けることにより、接続部４１から接続部４２に向かって鉛直上方に移動することが抑制される。そのため、フィルタ槽１０の逆洗浄に用いられる水のうち、主流路３１に残る水の量を低減させることができる。すなわち、この構成によれば、フィルタ１１を洗浄した後に浄水器１００から供給される浄水に洗浄後の汚水が含まれることを、効果的に抑制することができる。
【００５７】
浄水器１００は、電磁弁２２を備えている。電磁弁２２は、主流路３１において、接続部４２よりも、浄化方向の下流側に配置されている。また、電磁弁２２は、フィルタ槽１０が洗浄されるときに閉塞されている。
【００５８】
この構成によれば、フィルタ槽１０が洗浄されるときに電磁弁２２が閉塞されていることにより、流路６１および流路６２を流通する水と、主流路３１から流路６６に流出する水とが、電磁弁２２よりも下流側に流出することを防止することができる。つまり、フィルタ槽１０の逆洗浄に用いられる水が電磁弁２２よりも下流側に流出することと、フィルタ槽１０の逆洗浄後に、接続部４２とフィルタ槽１０との間と、フィルタ槽１０の内部とに残った汚水が電磁弁２２よりも下流側に流出することとが防止されている。このように、この構成によれば、フィルタ１１を洗浄した後に浄水器１００から供給される浄水に洗浄後の汚水が含まれることを、効果的に抑制することができる。
【００５９】
このように、浄水器１００は、フィルタ１１を収容するフィルタ槽１０を備え、フィルタ１１を洗浄した後に浄水器１００から供給される浄水に洗浄後の汚水が含まれないように構成され且つ比較的簡易に構成されている。
【００６０】
逆洗浄に用いられる水と、順洗浄に用いられる水とは、浄水器１００の外部から流入路３２に流入されるものに限定されない。逆洗浄に用いられる水と、順洗浄に用いられる水とは、浄水を生成させるために外部から供給される水が流通する経路と、異なる流路を流通することによって浄水器１００の内部に流入していてもよい。つまり、浄水器１００は、接続部４３を備えていなくてもよい。
【００６１】
フィルタ１１の洗浄の開始を指示するための構成として、洗浄ボタン４であることに限定されない。フィルタ１１の洗浄の開始を指示するための構成としては、ボタンの構成に限定されず、洗浄を開始するための信号をマイコン４０に送信するように構成されているものであればよい。さらに、フィルタ１１の洗浄は、マイコン４０の制御によって自動的に開始されるものであってもよい。例えば、図示しない濁度センサ等の検知部が検出する被浄化対象液体の濁度の値が所定の値を超える場合に、フィルタ１１の洗浄が開始されるものであってもよい。
【００６２】
フィルタ槽１０には、開口１３と異なり、浄水の流出口としての機能を有する開口と、逆洗浄用水の流入口としての機能を有する開口とがそれぞれ別に形成されていてもよい。
【００６３】
所定の時間Ｔ1は、フィルタ１１の汚れ具合等に応じて、適宜変更される時間であってもよい。また、所定の時間Ｔ2は、フィルタ１１の汚れ具合等または時間Ｔ1の変化に応じて、適宜変更される時間であってもよい。
【００６４】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【００６５】
４：洗浄ボタン、１０：フィルタ槽、１１：フィルタ、１２：開口、１３：開口、１４：開口、２２：電磁弁、２３：電磁弁、２５：電磁弁、３０：流路、３１：主流路、３４：流路、４０：マイコン、４１：接続部、４２：接続部、６１：流路、６２：流路、６６：流路、６７：流路、１００：浄水器
【図１】
2013017927.tif 000003
【図２】
2013017927.tif 000004
【図３】
2013017927.tif 000005
【図４】
2013017927.tif 000006